(57)【特許請求の範囲】
【請求項１】
遊技球が打ち込まれる遊技盤の遊技領域内に設けられた、遊技釘及びパチンコ遊技に必要な遊技機能部品が配設され、前記遊技機能部品は、前記遊技球より弾性率の小さい弾性材料により形成されているパチンコ機において、遊技球の球速が速い個所に設けられる前記遊技機能部品は、遊技球の球速が遅い個所に設けられる前記遊技機能部品より小さい弾性率の弾性材料により形成されていることを特徴とするパチンコ機。
【請求項２】
前記遊技機能部品は、遊技球の衝突する部分が前記遊技球より弾性率の小さい弾性材料により形成されていることを特徴とする請求項１に記載のパチンコ機。
【請求項３】
前記遊技機能部品は、複数の部分に分割して形成され、遊技球の衝突する部分が前記遊技球より弾性率の小さい弾性材料により形成されていることを特徴とする請求項１に記載のパチンコ機。
【発明の詳細な説明】
【０００１】
【発明の属する技術分野】
本発明は、パチンコ機及びパチンコ機の遊技球の球路又は／及び球速調整方法に関する。
【０００２】
【従来の技術】
図５に示すような従来のパチンコ機では、遊技盤前面の略円形領域がガイドレール１０６で囲まれることにより遊技領域１０が形成されている。遊技盤の表面に、前記遊技領域１０を区画するガイドレール１０６の上端縁に、遊技領域１０に打ち込まれた遊技球を跳ね返す、返しゴム１１１が設置されていた。係る返しゴム１１１の機能は、遊技領域１０に勢いよく打ち込まれた遊技球が、遊技領域１０から外れて無駄球にならないようにするために、遊技球を遊技領域１０内の一定方向に跳ね返して、前記遊技球を安定させて遊技領域１０内に戻す作用をするものである。
【０００３】
更に、前記遊技盤の遊技領域１０内には、図５に示すような遊技釘及びパチンコ遊技に必要な遊技機能部品が配設されている。図５において、遊技領域１０には、複数の特別図柄を複数列の変動表示部に変動表示する特別図柄表示装置１００と、開閉扉１０１を有する可変入賞球装置１１と、始動入賞口１０７と、スルーチャッカー形式の普通図柄作動ゲート１２ａ、１２ｂと、普通図柄表示装置１０３ａ、１０３ｂ、該普通図柄表示装置１０３ａ、１０３ｂの表示結果で開閉する普通電動役物１０８ａ、１０８ｂ、普通図柄表示装置作動ゲート１０４ａ、１０４ｂと、風車と呼ばれる打球方向変換部材１０９ａ、１０９ｂと、サイドランプ１３ａ、１３ｂと、アウト穴１４、左袖入賞口１１０ａ、右袖入賞口１１０ｂなどが備えられている。
【０００４】
そして、始動入賞口１０７内の入賞球路には図示していない特別図柄始動スイッチが、普通図柄作動ゲート１２ａ、１２ｂ内の通過球路には普通図柄表示装置１０３ａ、１０３ｂの変動表示を開始する図示していない普通図柄始動スイッチが、それぞれ設けられている。また、可変入賞球装置１１内における、特定領域１０２には図示していない継続スイッチが設けられている。
【０００５】
また、特別図柄表示装置１００の上部には、始動入賞口１０７に入賞した入賞球の記憶状態を表示する４個の始動記憶表示器１５ａ、１５ｂ、１５ｃ、１５ｄが各々設けられている。ここで、特別図柄表示装置１００は、カラーで静止画および変動画が表示可能な、例えば液晶ディスプレイ（ＬＣＤ）であり、ＣＲＴであってもよい。この特別図柄表示装置１００に表示される画像表示情報としては、例えばリールという回転ドラムを表示しそこに数字および区切りマークからなる識別情報を表示してもよいし、あるいはその他の図柄を表示してパチンコゲームを行うようにしてもよい。普通図柄表示装置１０３ａ、１０３ｂは、例えば、ＬＥＤ等よりなる表示器である。
【０００６】
なお、遊技盤の遊技領域１０には、通常、多数の遊技釘が設けられるが、ここでは繁雑になるので図示省略している。また、同様に図示省略しているが、遊技盤には、その他の各種装飾ランプや、ＬＥＤ等が設けられていてもよい。前記特別図柄始動スイッチは、始動入賞口１０７内にあり、遊技者により打ち出されて始動入賞口１０７に入賞した球が、このスイッチを通過する時に、トリガを発生し入賞検知し、特別図柄表示装置１００の図柄変動の契機を与える。前記普通図柄作動スイッチは、遊技者により打ち出されて普通図柄作動ゲート１２ａ、１２ｂ内を通過した球が、このスイッチを通過する時にトリガを発生し、普通図柄表示装置１０３ａ、１０３ｂの普通図柄を変動させる契機を与える。
【０００７】
前記特別図柄表示装置１００は、イメージパターンを変動表示する。特別図柄表示装置１００に表示が予め定めた特定の数字の組み合わせとなったとき、すなわち、大当り状態になった時に、可変入賞球装置１１にある開閉扉１０１が開放する。大当り状態中に、遊技球が特定領域１０２に入賞すると、前記開閉扉１０１内にある図示していない継続スイッチにより検出され、大当たり状態が継続される。始動入賞口１０７が盤面中央に設けてあり、また盤面中央には可変入賞球装置１１と、開閉扉１０１、開閉扉１０１の内部には特定領域１０２が設けられている。
【０００８】
前記遊技機能部品の大半は、遊技の視覚的な効果を高めるために各種の色付けがなされている、プラスチックなどの成形品から構成されている。又、前記プラスチックは、成形が容易であると共に、低価格なので従来から多数のパチンコ機に用いられている。前記遊技機能部品は、遊技球を入賞させ、又は、遊技球の通過を検出するなどの作用をする。更に、遊技釘と共に遊技領域１０内の遊技球の球路と球速を変化せしめ、遊技に面白みを付加するように作用する。
【０００９】
【発明が解決しようとする課題】
しかし、係る遊技機能部品は、以下のような問題点があった。即ち、前記遊技機能部品には、遊技球の球路と球速を変化させる目的で、前記したように長期に亘って遊技球を衝突させる。このために遊技球の衝突する部分が破損、又は磨耗してくる。特に、遊技球が直接衝突する遊技領域１０の上部に設けられている遊技機能部品は、破損、又は磨耗が激しい。係る遊技機能部品が損傷すると、前記遊技機能部品を形成する成形品全てを交換する必要があった。特に、遊技領域１０の上部に設けられている特別図柄表示装置１００の上部に設けられている成形品は、破損、又は磨耗が激しく、損傷する部分が一部にも係らず、特別図柄表示装置１００を含む成形品全てを交換する必要があった。係る作業は、交換する部品代と共に、交換のための作業時間、費用が無駄である。更に、近年、環境に配慮したプラスチックなどの材料の部品の廃棄、回収のための費用も必要になる。
【００１０】
又、遊技に際しては、遊技領域１０内に遊技球を長時間、数多く滞留させておくことが遊技性を高める一因である。しかし、前記プラスチックなどで成形された遊技機能部品は硬く、その弾性率は大きい。そのために、前記遊技機能部品に衝突した遊技球は、その球速が増加される傾向にある。一方、遊技球の球路は、前記遊技釘の配置及び、調整によって決定されるが、遊技釘の球速が一定値以下にならないと釘調整だけでは球路の調整をすることが困難になる。
【００１１】
本発明は係る問題を解決したパチンコ機及びパチンコ機の遊技球の球路又は／及び球速調整方法を提供することを目的としてなされたものである。
【００１２】
【課題を解決するための手段】
本発明は上記目的を達成するために請求項１記載のパチンコ機では、遊技球が打ち込まれる遊技盤の遊技領域内に設けられた、遊技釘及びパチンコ遊技に必要な遊技機能部品が配設され、前記遊技機能部品は、前記遊技球より弾性率の小さい弾性材料により形成されているパチンコ機において、遊技球の球速が速い個所に設けられる前記遊技機能部品は、遊技球の球速が遅い個所に設けられる前記遊技機能部品より小さい弾性率の弾性材料により形成されていることを特徴とする。
【００１４】
請求項２記載のパチンコ機では、前記遊技機能部品は、遊技球の衝突する部分が前記遊技球より弾性率の小さい弾性材料により形成されていることを特徴とする。
【００１５】
請求項３記載のパチンコ機では、前記遊技機能部品は、複数の部分に分割して形成され、遊技球の衝突する部分が前記遊技球より弾性率の小さい弾性材料により形成されていることを特徴とする。
【００２４】
【発明の実施の形態】
図１は、本発明の実施の形態を示す図であって、図１（ａ）は遊技機能部品の全体概観図、図１（ｂ）は、前記遊技機能部品の主要部を説明する分解図である。
図５に示した遊技機能部品として、特別図柄表示装置１００を例にとって説明するが、これ以外の遊技機能部品についても同様にして実現できる。
【００２５】
図１（ａ）において、特別図柄表示装置１００の上部には成形品１００ａが設けられている。該成形品１００ａは、図１（ｂ）に図示するように、成形部品ａ１、ａ２、ａ３から構成されている。成形部品ａ１は、図示していないネジなどで図示していない遊技盤に取り付けられる。前記成形部品ａ３には貫通孔１０ａ、１０ｂが、成形部品ａ２には貫通孔１０ｃ、１０ｄが、成形部品ａ１には貫通孔１０ｅ、１０ｆが設けられた軸１０ｇ、１０ｈが各々、形成されている。又、軸１０ｇ、１０ｈは、前記貫通孔１０ｃ、１０ｄに各々、通されて組立られた時に、前記成形部品ａ３の貫通孔１０ａ、１０ｂと一致するように設けられている。成形部品ａ２、ａ３は、ネジなどの遊技機能部品取付部材９ａ、９ｂによって前記軸１０ｇ、１０ｈに設けられた貫通孔１０ｅａ、１０ｆに取り付けられ成形部品ａ１と一体になり図示していない遊技盤に取り付けられる。
【００２６】
図４に示すように、前記成形部品ａ１は、成形部品ａ１と軸１０ｇ、１０ｈとを各々、別部品として構成してもよい。即ち、軸１０ｇには、成形部品ａ１に設けられた貫通孔ａ１１を通して遊技盤に取り付けるネジ１０ｉが設けられている。同様に、軸１０ｆには、成形部品ａ１に設けられた貫通孔ａ１２を通して遊技盤に取り付けるネジ１０ｊが設けられている。係るネジ１０ｉ及び１０ｊによって前記成形部品ａ１を予め遊技盤に取り付ける。例えば、特別図柄表示装置１００を装着する成形品を成形部品ａ１で構成しておき、成形品ａ２又はａ３が破損した場合に、成形部品ａ１、即ち特別図柄表示装置１００を遊技盤から取り外すことなく成形品ａ２又はａ３の交換ができる。
【００２７】
図２は、本発明の遊技機能部品を説明する遊技盤の一部断面図である。図２において、遊技盤１の前面には、セルシート６が、更にその上から、遊技釘３、遊技機能部品１００ａが設けられている。遊技機能部品１００ａは、ネジなどの遊技機能部品取付部材９によって成形部品ａ１、ａ２、ａ３が一体になり遊技盤１に取り付けられる。そして、遊技領域１０を覆うようにガラス板２が周知の図示していないガラス枠にはめ込まれて、遊技球４が遊技領域１０から飛び出さないようになっている。
【００２８】
成形部品ａ１、ａ２、ａ３について図２により説明する。遊技球４の直径をＰ、成形部品ａ１、ａ２、ａ３の厚さを各々、Ｌ１、Ｌ２、Ｌ３、セルシート６とガラス板２との間の間隔をＬ、成形部品ａ３とガラス板２との間の間隔をｄとする。遊技球４が最もセルシート６に接近した時に遊技球４が成形部品ａ１と接触する距離は、Ｐ／２である。又、遊技球４が最もガラス板２に接近した時には、ガラス板２からＰ／２の距離で成形部品ａ３と接する。従って、遊技球４が成形部品と接触する範囲Ｚは、Ｚ＝Ｌ−Ｐとなる。即ち、成形部品ａ１、ａ２、ａ３を各々、分割可能に形成し、成形部品ａ１、ａ２、ａ３の厚さを各々、Ｌ１≦Ｐ／２、Ｌ２≧Ｌ−Ｐ、Ｌ３≦（Ｐ／２）−ｄ（ｄは、成形部品ａ３とガラス板２との間の間隔）とすると、遊技球４は、成形部品ａ１、ａ３とは接触しない。
【００２９】
例えば、遊技球４の直径Ｐを１１ｍｍ、セルシート６とガラス板２との間の間隔Ｌを１９ｍｍ、成形部品ａ３とガラス板２との間の間隔ｄを２ｍｍとすると、成形部品ａ１、ａ２、ａ３の厚さＬ１、Ｌ２、Ｌ３は、各々、Ｌ１≦５．５ｍｍ、Ｌ２≧８ｍｍ、Ｌ３≦３．５ｍｍとなる。
【００３０】
以上のことから、遊技球４は、成形部品ａ１、ａ３とは接触しないので、成形部品ａ２が、遊技球４の衝突による破損、又は磨耗から保護されればよい。係る目的を達成するために、成形部品ａ２を前記遊技球４より弾性率の小さい弾性材料により形成する。例えば、前記遊技球４より弾性率の小さい弾性材料としてゴムを用いる。係るゴムとしては、クロロプレンゴム、ブタジエンゴム、ノルボルネンゴム、スチレンとエチレンとブテンのゴム共重合体、ポリプロピレンなどが実用化されている。
【００３１】
前記遊技球４より弾性率の小さい弾性材料により形成された前記成形部品ａ２によって、成形部品ａ２、即ち特別図柄表示装置１００を構成する遊技機能部品が遊技球４の衝突による破損、又は磨耗から保護される。又、衝突した遊技球４は、遊技球４より弾性率が小さいことから、その球速が低下される。
【００３２】
成形部品ａ１、ａ２、ａ３の厚さＬ１、Ｌ２、Ｌ３と、セルシート６とガラス板２との間の間隔Ｌと、成形部品ａ３とガラス板２との間の間隔ｄとを前記したようにして決定することにより、成形部品ａ１、ａ３は遊技球４と接触しない。係る成形部品ａ１、ａ３は、遊技球４と接触しないので、従来と同様のプラスチックなどの前記弾性材料と異なる材質の成形品で形成することができる。又、前記成形部品ａ１、ａ３は、遊技の視覚的な効果を高めるために、各種の色で着色されていてもよい。
【００３３】
次に、前記弾性材料を用いた、遊技機能部品の配置について説明する。前記したように、遊技領域１０の上部に設けられている特別図柄表示装置１００の上部に設けられている成形品は、破損、又は磨耗が激しい。更に、遊技に際しては、遊技領域１０内に遊技球を長時間、数多く滞留させておくことが遊技性を高める一因である。特に遊技領域１０の上部では遊技球の球速が早い。前記遊技球は、遊技釘、及び遊技機能部品に衝突しながら落下し、その球速が低下される。
【００３４】
従って、前記遊技機能部品が設けられる位置に応じて、異なる弾性率の弾性材料を使用することによって、遊技球の球速に応じて遊技球を反発させることができる。即ち、遊技球の球速が速い個所（遊技領域１０の上部、風車などによって遊技球が加速される場所など）に配置されている遊技機能部品に使用される前記弾性材料は、遊技球の球速が遅い個所（特別図柄表示装置１００の下部など）に設けられる前記遊技機能部品より小さい弾性率の弾性材料が使用されている。
【００３５】
又、遊技盤の遊技領域内には、図５に示すような遊技釘及びパチンコ遊技に必要な遊技機能部品が配設されている。前記遊技機能部品は、前記したように遊技の視覚的な効果を高め、又、パチンコ機を低価格にすることなどから、従来からプラスチック製品が多数用いられている。係るプラスチック製品は、遊技球の通過によって、遊技盤との間に静電気を発生し、該静電気がパチンコ機の制御回路などに放電することにより、パチンコ機を誤動作させていた。
【００３６】
図３は、前記静電気の問題を解決する一実施例を説明する図である。図３において、前記遊技機能部品は、成形部品ａ１、ａ２、ａ３から構成されていて、各々、分割可能に形成されている。遊技球の衝突する部分の成形部品ａ２は、前記遊技球より弾性率の小さい導電性の弾性材料により形成されている。
【００３７】
前記遊技球より弾性率の小さい導電性の弾性材料としては、ネオプレンやシリコーンゴムなどにカーボンブラックを充填材として加えた導電性ゴムや、これ以外にポリウレタン樹脂に銀、銅、カーボンなどを混合した導電性プラスチックなどが実用化されている。
【００３８】
遊技盤面１とセルシート６との間に設けられた導電性部材５（例えば銅版、又は可撓性導電性シート）は、遊技盤面１の裏から貫通して前記を導電性部材５と接続される導電性部材（例えば銅製のネジ）７と導通されている。前記導電性部材７は、接地線８介して遊技場の大地に接地されている。
【００３９】
遊技機能部品１００ａは、ネジなどの遊技機能部品取付部材９によって成形部品ａ１、ａ２、ａ３が一体になり遊技盤１に取り付けられる。係る遊技機能部品取付部材９と成形部品ａ２とは、互いに電気的に接触していて導通されている。従って、前記成形部品ａ２は、遊技機能部品取付部材９により前記導電性部材５と導通され、導電性部材７から接地線８介して遊技場の大地に接地されている。
【００４０】
遊技機能部品１００ａの成形部品ａ２が前記の如く形成され、接地されていることによって、静電気は放電される。又、成形部品ａ１、ａ３に帯電した静電気は、導電性の弾性材料で形成された成形部品ａ２から放電される。更に、遊技球４が接触して帯電された静電気を放電しやすくする。
【００４１】
一方、前記したように、遊技球の球路は、前記遊技釘の配置及び、調整によって決定されるが、遊技釘の球速が一定値以下にならないと釘調整だけでは球路の調整をすることが困難になる。係る釘調整は、パチンコ機の出荷時に予め定められた所定の性能が出るように調整される。しかし、長期間に及びパチンコ機を使用した場合や、遊技店の都合によって遊技球の球路を変更して出球率を変更したい場合が発生する。
【００４２】
係る場合において、前記の如く釘調整だけでは球路の調整が困難な場合がある。以下、本発明によってパチンコ機の遊技球の球路又は／及び球速調整方法について、図５で示した従来のパチンコ機の盤面を用いて説明する。なお、図５に示した機能部品は、遊技球より弾性率の小さい弾性材料により形成されているものとする。
【００４３】
まず、遊技球が打ち込まれる遊技盤の遊技領域１０内に設けられた、遊技機能部品を前記遊技球より弾性率の小さい弾性材料により形成してパチンコ機を完成する。そして、遊技領域１０内に設けられた遊技機能部品に対して、遊技釘により遊技球の球路又は／及び球速が所定値になるように釘調整する。
【００４４】
前記した理由によって、遊技球の球路又は／及び球速を変化する場合、前記遊技機能部品を他の弾性率で形成されている遊技機能部品を用いる。係る場合に、前記遊技機能部品が設けられる位置に応じて、異なる弾性率の弾性材料を使用する。即ち、遊技球の球速が速い個所（遊技領域１０の上部、風車１０９ａ、１０９ｂなどによって遊技球が加速される場所など）に配置されている遊技機能部品（例えば特別図柄表示装置１００、普通図柄表示装置作動ゲート１０４ａ、１０４ｂ）に使用される前記弾性材料は、遊技球の球速が遅い個所（特別図柄表示装置１００の下部、左袖入賞口１１０ａ、右袖入賞口１１０ｂなど）に設けられる前記遊技機能部品より小さい弾性率の弾性材料が使用されている。前記したようにして、釘調整だけでは球路の調整が困難な場合、他の弾性率で形成されている遊技機能部品を用いることによって前記遊技球の球路又は／及び球速を調整する。
【００４５】
更に又、前記遊技機能部品の遊技球が衝突する部分を前記遊技球より弾性率の小さい弾性材料により分割可能に形成しておく。前記同様に、遊技釘により遊技球の球路と球速が所定値になるように釘調整した後に、前記球路又は／及び球速を変化する場合、前記分割可能部分を、他の弾性率で形成されている分割可能部分を用いる。係る場合、前記したと同様にして、前記遊技機能部品が設けられる位置に応じて、異なる弾性率の弾性材料を使用する。即ち、遊技球の球速が速い個所（遊技領域１０の上部、風車１０９ａ、１０９ｂなどによって遊技球が加速される場所など）に配置されている遊技機能部品（例えば特別図柄表示装置１００、普通図柄表示装置作動ゲート１０４ａ、１０４ｂ）の分割可能部分に使用される前記弾性材料は、遊技球の球速が遅い個所（特別図柄表示装置１００の下部、左袖入賞口１１０ａ、右袖入賞口１１０ｂなど）に設けられる前記遊技機能部品の分割可能部分より小さい弾性率の弾性材料が使用されている。前記したようにして、釘調整だけでは球路の調整が困難な場合、他の弾性率で形成されている遊技機能部品を用いることによって前記遊技球の球路又は／及び球速を調整する。
【００４６】
なお、前記遊技球の球路又は／及び球速調整方法において、図３で述べたような導電性の弾性材料を用いて、該導電性の弾性材料を接地するようにした構造のパチンコ機であってもよいことはいうまでもない。
【００４７】
【発明の効果】
請求項１記載のパチンコ機によれば、遊技球の球速が速い個所に設けられる前記遊技機能部品は、遊技球の球速が遅い個所に設けられる前記遊技機能部品より小さい弾性率の弾性材料により形成されていることにより遊技球の球速の早い箇所ほど球速を低下させることができる。よって、遊技球の球速が遊技盤内で平均化され、パチンコ機の損傷を遊技盤の箇所に係りなく一様にすることができた。また、遊技釘のみでは調整できなかった球速、球路の調整が容易になった。更に、遊技球の球速を低下し、遊技領域に滞留する時間を長くすることによって、より多くの遊技球が遊技盤に存在し、アウト口に入るまでの時間が長くなり、よって遊技者の遊技に対する満足感を増加し、遊技の充実感を満喫するパチンコ機を提供できた。この結果、パチンコ機の損傷を低減すると共に、遊技釘のみでは調整できなかった球速、球路の調整が容易になった。更に、遊技球の球速を低下し、遊技領域に滞留する時間を長くすることによって、より多くの遊技球が遊技盤に存在し、アウト口に入るまでの時間が長くなり、長時間遊技を楽しめる。よって遊技者の遊技に対する満足感を増加し、遊技の充実感を満喫するパチンコ機を提供できた。
【００４９】
請求項２記載のパチンコ機によれば、前記遊技機能部品は、遊技球の衝突する部分が前記遊技球より弾性率の小さい弾性材料により形成されていることにより、遊技球の衝突しない部分に他の材料を用いて低価格、軽量化を図ると共に、遊技球の衝突する部分の破損、又は磨耗による損傷を防止したパチンコ機を提供できた。
【００５０】
請求項３記載のパチンコ機によれば、前記遊技機能部品は、複数の部分に分割して形成され、遊技球の衝突する部分が前記遊技球より弾性率の小さい弾性材料により形成されていることにより、遊技球の衝突する部分の破損、又は磨耗による損傷が生じた場合においても、交換が容易であり、破損箇所のみの交換ですむために、低価格で修理できるパチンコ機を提供できた。
【図面の簡単な説明】
【図１】本発明の実施の形態を示す図であって、図１（ａ）は遊技機能部品の全体概観図、図１（ｂ）は、前記遊技機能部品の主要部を説明する分解図である。
【図２】本発明の遊技機能部品を説明する遊技盤の一部断面図である。
【図３】本発明の遊技機能部品を説明する遊技盤の一部断面図の他の実施形態である。
【図４】本発明の遊技機能部品を説明する成形部品の一例である。
【図５】従来のパチンコ機の前面概観図である。
【符号の説明】
１  遊技盤
２  ガラス板
３  遊技釘
４  遊技球
５  導電性部材
６  セルシート
９、９ａ、９ｂ  遊技機能部品取付部材
１０  遊技領域
１００  特別図柄表示装置
１００ａ、ａ１、ａ２、ａ３  成形品
【図１】
0003574923.tif 000002
【図２】
0003574923.tif 000003
【図３】
0003574923.tif 000004
【図４】
0003574923.tif 000005
【図５】
0003574923.tif 000006